(57)【要約】      （修正有）【課題】簡易な構造且つ容易な操作で溝蓋を着脱でき、溝蓋が特殊で重いものでも確実に着脱及び運搬を可能にする溝蓋取外し装置を提供する。【解決手段】上下に延設された架台１１の上端部に配置されたワイヤ緊締具１２と、架台の下端部より延出する支持アーム１３と、ワイヤ緊締具の下方で支持アームの先端部に揺動可能に垂下された当て板１４と、ワイヤ緊締具と溝蓋１００の間に張架されるワイヤ１５とを有し、当て板を溝蓋の上面に位置させ、ワイヤ緊締具によりワイヤに張力を付与することで溝蓋が当て板に圧着固定され、架台を傾倒させることにより、溝蓋を浮上させる。【選択図】図２
0003196101.tif 000002
【実用新案登録請求の範囲】
【請求項１】
側溝等に被せた溝蓋を取り外して該溝蓋を搬送可能に構成された溝蓋取外し装置であって、
上下に延設された架台の上端部に配置されたワイヤ緊締具と、前記架台の下端部より延出する支持アームと、前記ワイヤ緊締具の下方で前記支持アームの先端部に揺動可能に垂下された当て板と、前記ワイヤ緊締具と前記溝蓋の間に張架されるワイヤとを有し、
前記当て板を前記溝蓋の上面に位置させ、前記ワイヤ緊締具により前記ワイヤに張力を付与することで前記溝蓋が前記当て板に圧着固定され、
前記架台をその基部を支点として傾倒させることにより、前記溝蓋を浮上させるようにしたことを特徴とする溝蓋取外し装置。
【請求項２】
前記架台は前記支持アームに対して、数倍もしくはそれ以上の上下方向長さを有することを特徴とする請求項１に記載の溝蓋取外し装置。
【請求項３】
前記ワイヤの先端に設けたフックを前記溝蓋の周縁部に掛止させ、前記支持アームの先端部に付設したガイドバーにより前記フックをガイドすることを特徴とする請求項１又は２に記載の溝蓋取外し装置。
【請求項４】
前記架台の基部付近に、その傾倒時に前記溝蓋の端部を当接支持するガイドプレートが配置されたことを特徴とする請求項１〜３のいずれか１項に記載の溝蓋取外し装置。
【考案の詳細な説明】
【技術分野】
【０００１】
本考案は側溝等に被せた溝蓋、特に大型の溝蓋を取り外すために好適な溝蓋取外し装置に関するものである。
【背景技術】
【０００２】
一般的な側溝やマンホール等に被せた蓋を取り外すための治具あるいは装置として、特許文献１あるいは特許文献２に記載のものが使用されている。一方、特に製鉄所構内の側溝は常に良好な状態を保つために定期的に溜まった土塊等を取り除いているが、その溝蓋は一般の側溝用のものとは異なり丈夫に作ってある特殊なものが多い。つまり製鉄所構内溝蓋はその重量があり、更に様々な土塊等が固着している等で溝から外しづらくなっている場合が多い。
【先行技術文献】
【特許文献】
【０００３】
【特許文献１】実開昭６２−５５６５１号公報
【特許文献２】実用新案登録第３１０３５１２号公報
【考案の概要】
【考案が解決しようとする課題】
【０００４】
製鉄所構内の側溝にあっては、例えば特許文献１の治具等では、溝蓋を取り外すのが困難である。このため側溝清掃の際、現状では重機等を使って溝蓋を外し、このように溝蓋の取外し作業は大掛かりになり、時間やコストが増加せざるを得なかった。
【０００５】
本考案はかかる実情に鑑み、簡易な構造且つ容易な操作で溝蓋を着脱でき、溝蓋が特殊で重いものでも確実に着脱及び運搬を可能にする溝蓋取外し装置を提供する。
【課題を解決するための手段】
【０００６】
本考案の溝蓋取外し装置は、側溝等に被せた溝蓋を取り外して該溝蓋を搬送可能に構成された溝蓋取外し装置であって、上下に延設された架台の上端部に配置されたワイヤ緊締具と、前記架台の下端部より延出する支持アームと、前記ワイヤ緊締具の下方で前記支持アームの先端部に揺動可能に垂下された当て板と、前記ワイヤ緊締具と前記溝蓋の間に張架されるワイヤとを有し、前記当て板を前記溝蓋の上面に位置させ、前記ワイヤ緊締具により前記ワイヤに張力を付与することで前記溝蓋が前記当て板に圧着固定され、前記架台をその基部を支点として傾倒させることにより、前記溝蓋を浮上させるようにしたことを特徴とする。
【０００７】
また、本考案の溝蓋取外し装置において、前記架台は前記支持アームに対して、数倍もしくはそれ以上の上下方向長さを有することを特徴とする。
【０００８】
また、本考案の溝蓋取外し装置において、前記ワイヤの先端に設けたフックを前記溝蓋の周縁部に掛止させ、前記支持アームの先端部に付設したガイドバーにより前記フックをガイドすることを特徴とする。
【０００９】
また、本考案の溝蓋取外し装置において、前記架台の基部付近に、その傾倒時に前記溝蓋の端部を当接支持するガイドプレートが配置されたことを特徴とする。
【考案の効果】
【００１０】
本考案によれば、極めて重量のある溝蓋であっても、重機等を使用することなく確実且つ円滑に取り外し、搬送することができる。装置構造は比較的簡素であり、コストがかからず、しかも作業の高い安全性を保証することができる。
【図面の簡単な説明】
【００１１】
【図１】本考案による溝蓋取外し装置の構成例を示す（Ａ）は上面図、（Ｂ）は正面図である。
【図２】本考案による溝蓋取外し装置の構成例を示す（Ａ）は側面図、（Ｂ）は背面図である。
【図３】本考案による溝蓋取外し装置の作用を順に示すそれぞれ正面図である。
【図４】本考案による溝蓋取外し装置の溝蓋取外し時の作用を示す側面図である。
【図５】本考案による溝蓋取外し装置の溝蓋搬送時の作用を示す側面図である。
【考案を実施するための形態】
【００１２】
以下、図面に基づき、本考案による溝蓋取外し装置における好適な実施の形態を説明する。
図１及び図２は、本実施形態における溝蓋取外し装置１０の構成例を示している。図１は上面図及び正面図であり、図２は側面図及び背面図である。ここで、本考案の適用対象である溝蓋は、例えば製鉄所構内の側溝に被せられており、辺々の大きさ寸法が数百ｍｍ〜１０００ｍｍ程度あるいはそれ以上の矩形鋼板からなる。また、その重量も極めて重く、数十ｋｇあるいは百ｋｇ以上になることもある。
【００１３】
溝蓋取外し装置１０は図１及び図２を参照して、かかる溝蓋１００を側溝から取り外して溝蓋１００を搬送可能に構成される。溝蓋取外し装置１０の具体的構成において、上下に延設された架台１１の上端部に配置されたワイヤ緊締具１２と、架台１１の下端部より延出する支持アーム１３と、ワイヤ緊締具１２の下方で支持アーム１３の先端部に揺動可能に垂下された当て板１４と、ワイヤ緊締具１２と溝蓋１００の間に張架されるワイヤ１５とを有する。そして、当て板１４を溝蓋１００の上面に位置させ、ワイヤ緊締具１２によりワイヤ１５に張力を付与することで溝蓋１００が当て板１４に圧着固定され、架台１１をその基部を支点として傾倒させることにより、溝蓋１００を側溝から浮上させるようになっている。
【００１４】
架台１１はアングル鋼材あるいはチャンネル鋼材等を用いて、上下方向に延びる枠状に形成され、上下方向長さもしくは高さが１０００ｍｍ又はそれ以上に設定される。架台１１の上端部には左右に張り出すように一対のハンドル１６が設けられ、作業員はハンドル１６を握って溝蓋取外し装置１０を操作することができる。ワイヤ緊締具１２として所謂レバーブロック（登録商標）を使用することができ、架台１１の上端部に架設され、レバー１２ａの巻上げ操作によりフック１２ｂを介して、接続相手であるワイヤ１５に引張り荷重を与えることできる。
【００１５】
支持アーム１３は架台１１の下端部にて一体に結合し、図２（Ａ）に示されるように概略山型をなして前方へ延出する。左右一対の支持アーム１３の先端部相互間はパイプ１７により結合され、このパイプ１７に中央部に固着するパイプ状のジョイント部材１８にステー１９が回転可能に挿通支持される。ステー１９は当て板１４の上面に一体結合し、これにより当て板１４が図２（Ａ）の点線により示すように揺動可能に、即ち前後方向に首振り可能に支持される。当て板１４の下面にはウレタン材１４Ａが貼着される。
【００１６】
ここで、架台１１は支持アーム１３に対して、数倍もしくはそれ以上の上下方向長さを有する。具体的には図２（Ａ）に示されるように架台１１の長さＬ1が支持アーム１３の長さＬ2（前後方向）の３〜４倍程度に設定される。
【００１７】
ワイヤ１５の先端にはフック２０が接続され、このフック２０を溝蓋１００の左右周縁部に掛止させるようにする。この場合、支持アーム１３の先端部のパイプ１７の内孔にはガイドバー２１が挿通し、このように支持アーム１３の先端部に横架されたガイドバー２１によりフック２０をガイドすることができるようになっている。
【００１８】
また、架台１１の基部付近に、その傾倒時に溝蓋１００の後端部を当接支持するガイドプレート２２が配置されている。溝蓋１００を側溝から浮上させるためには、架台１１の基部に設けた支点部材２３を支点として、図２（Ａ）において右方へ傾倒させる。その際に溝蓋１００がその自重により右方へ移動しようとしてもガイドプレート２２が受け止め、溝蓋１００の位置を安定させることができる。なお、架台１１の作業員側の下部付近には足載せ部材２４が付設され、架台１１を傾倒させる際に作業員が足載せ部材２４に体重をかけるようにしてもよい。
【００１９】
更に、架台１１の下端には左右一対のキャスタ２５を具備し、このキャスタ２５により溝蓋取外し装置１０を自由に移動可能とする。また、架台１１の上端部のハンドル１６の前側直近にはブレーキレバー２６が設けられ、必要に応じて適宜キャスタ２５を制動し、溝蓋取外し装置１０を停止させることができる。架台１１の作業員側の下部付近にはまたスタンドバー２７がセット／オフセット切替自在に取り付けられ、停止させた溝蓋取外し装置１０をその位置に留め置くことができるようになっている。
【００２０】
溝蓋取外し装置１０は上記のように構成されており、次にその作用について説明する。取り外したい溝蓋１００まで溝蓋取外し装置１０を移動させ、なおキャスタ２５により円滑に移動可能であり、図３（Ａ）のように当て板１４を溝蓋１００上面の略中央上方に位置させて溝蓋取外し装置１０を停止させる。準備したフック２０を図３（Ｂ）のように溝蓋１００の左右の周縁部に掛止させるが、ガイドバー２１がフック２０をガイドすることでフック２０を適正に掛止することができる。図３（Ｃ）のようにワイヤ緊締具１２と溝蓋１００との間にワイヤ１５が張架されるが、ワイヤ１５は予め両者間に張架しておくことも可能である。
【００２１】
次に図４において、ワイヤ緊締具１２であるレバーブロックのレバー１２ａの巻上げ操作によってワイヤ１５に引張り荷重を与えることにより、溝蓋１００が当て板１４に圧着固定される。この場合、当て板１４は首振り可能に支持されているため、偏らずにぴったりと溝蓋１００に圧着し、また当て板１４の下面に貼着されたウレタン材１４Ａが溝蓋１００の上面に直接圧着するため、溝蓋１００は当て板１４から滑り落ちることなく安定して固定される。そして、架台１１を作業員手前側へ適度に傾倒させることで、溝蓋１００を略そのまま上方へ浮上させ、側溝から取り外すことができる。この場合、架台１１の長さＬ1が支持アーム１３の長さＬ2の数倍程度に設定されているため、梃子の原理を利用して架台１１を傾倒させることにより溝蓋１００を極めて容易に取り外すことができる。
【００２２】
溝蓋１００を運搬する際には、図５のように架台１１を更に傾倒させることができ、必要に応じて作業員は足載せ部材２４に体重をかけ、作業を円滑に遂行することが可能である。
【００２３】
このように小型のレバーブロックとワイヤ１３のフック２０で溝蓋１００の両端部を引っ掛けて、引き上げることで当て板１４に圧着固定し運搬を行うことができる。その場合当て板１４は、その当て面にウレタン材１４Ａが貼着されているため落下防止効果に優れている。また、作業員がハンドル１６を持って溝蓋１００と反対方向に押し下げることにより梃子の原理で溝蓋１００を引っ張り上げ、側溝から容易に取り外し、極めて重い溝蓋１００の場合でも確実に側溝から引っ張り上げて外すことが可能となる。
【００２４】
また、当て板１４は適度に揺動回転するので、裏側にずれ防止のガイド等がある溝蓋１００にあってはそのままでは側溝から垂直にしか上がらない場合でも対応可能であり、使用性に極めて優れている。また、重い溝蓋１００でも確実に保持することができ、運搬中落下することなく、安全に仮置き場までの運搬可能になる。また、様々なサイズの溝蓋１００に対応可能であり、重機等が不要となる。更に、レバーブロックを使うことにより本装置の制作費を抑えることができる。
【００２５】
以上、本考案を種々の実施形態と共に説明したが、本考案はこれらの実施形態にのみ限定されるものではなく、本考案の範囲内で変更等が可能である。
例えば上記実施形態で説明した数値等にのみ限定されることなく、必要に応じて適宜変更等が可能である。
【符号の説明】
【００２６】
１０  溝蓋取外し装置、１１  架台、１２  ワイヤ緊締具、１３  支持アーム、１４  当て板、１５  ワイヤ、１６  ハンドル、１７  パイプ、１８  ジョイント部材、１９  ステー、２０  フック、２１  ガイドバー、２２ガイドプレート、２３  支点部材、２４  足載せ部材、２５  キャスタ、２６  ブレーキレバー、２７  スタンドバー、１００  溝蓋。
【図１】
0003196101.tif 000003
【図２】
0003196101.tif 000004
【図３】
0003196101.tif 000005
【図４】
0003196101.tif 000006
【図５】
0003196101.tif 000007